(57)【特許請求の範囲】
【請求項１】
物体側から相互に距離をおいて配置された対物レンズ群、プリズム及び接眼レンズ群を含む光学部品を備えた光学機器であって、
前記光学部品の少なくとも１つを内装保持し、周面に少なくとも１つの内枠孔を有する内枠、及び、前記内枠を内装し、前記内枠孔に連通する外枠孔を周面に有する外枠を有し、互いに連通する前記内枠孔及び前記外枠孔の少なくとも１組は一方が円孔で他方が前記円孔の直径と異なる幅で前記鏡筒の軸線に交差する方向に延在する長孔である調整枠と、
前記内枠と前記外枠とを固定する固定部材とを備え、
前記固定部材は、前記長孔内に配置され、一端に被回転操作部を有する筒状基部と、前記筒状基部と異なる径で前記筒状基部の他端から前記筒状基部の軸線方向に沿って前記筒状基部に対して偏心するように延出し、前記円孔内に配置される筒状脚部とを有する偏心ピンを含むことを特徴とする光学機器。
【請求項２】
前記固定部材は、接着剤の硬化物又は締結具を含んでいることを特徴とする請求項１に記載の光学機器。
【請求項３】
互いに連通する前記内枠孔及び前記外枠孔は、前記内枠及び前記外枠の周方向に距離をおいて２組又は３組配置されていることを特徴とする請求項１又は２に記載の光学機器。
【請求項４】
前記距離のうち少なくとも１つの距離は、残りの前記距離と異なっていることを特徴とする請求項３記載の光学機器。
【請求項５】
互いに連通する前記内枠孔及び前記外枠孔のすべての組は、一方が前記円孔で他方が前記長孔である請求項１〜４のずれか１項に記載の光学機器。
【請求項６】
前記内枠に内装保持される前記光学部品は、前記プリズム又は前記対物レンズ群を構成するフォーカスレンズである請求項１〜５のいずれか１項に記載の光学機器。
【請求項７】
光学機器の鏡筒内に物体側から相互に距離をおいて配置された対物レンズ群、プリズム及び接眼レンズ群を含む光学部品のうち請求項１〜６のいずれか１項に記載の調整枠に内装保持された前記光学部品の配置状態を、前記外枠孔内及び前記内枠孔内に挿通配置された請求項１〜６のいずれか１項に記載の前記偏心ピンを回転させて、調整する工程を有することを特徴とする光学部品の調整方法。
【請求項８】
前記調整する工程と同時又はその後に、請求項１〜６のいずれか１項に記載の前記固定部材で前記内枠と前記外枠とを固定する工程を有することを特徴とする請求項７に記載の光学部品の調整方法。
【請求項９】
対物レンズ群、プリズム及び接眼レンズ群を含む光学部品を物体側から相互に距離をおいて光学機器の鏡筒内に配置する工程と、
前記配置する工程の後に、前記光学部品のうち請求項１〜６のいずれか１項に記載の調整枠に内装保持された前記光学部品の配置状態を請求項７又は８に記載の光学部品の調整方法によって調整する工程とを有することを特徴とする光学機器の製造方法。
【請求項１０】
前記調整する工程と同時又はその後に、請求項１〜６のいずれか１項に記載の前記固定部材で前記内枠と前記外枠とを固定する工程を有することを特徴とする請求項９に記載の光学機器の製造方法。
【請求項１１】
前記調整する工程の後に、前記偏心ピンを除去する工程を有することを特徴とする請求項９又は１０に記載の光学機器の製造方法。
【発明の詳細な説明】
【技術分野】
【０００１】
この発明は、光学機器、光学部品の調整方法及び光学機器の製造方法に関し、さらに詳しくは、光学部品が１つの鏡筒内に小型簡易な構成で１つの光軸を共有するように配置された光学機器及びその製造方法並びに小型簡易な構成で１つの鏡筒に配置された光学部品を１つの光軸を共有するように調整配置できる光学部品の調整方法に関する。
【背景技術】
【０００２】
光学機器としての望遠鏡は、一分類例によると、天体望遠鏡及び地上望遠鏡に大別でき、この地上望遠鏡は、単眼鏡と、プリズムのないガリレイ双眼鏡及びプリズムを備えたプリズム双眼鏡とに分類される。このような光学機器は、通常、光学部品として、複数のレンズからなる対物レンズ群と複数のレンズからなる接眼レンズ群と所望により複数のプリズムからなる正立プリズムとが物体側から相互に距離を置いて鏡筒内に配置されている。ここで、単眼鏡はこれらの光学部品が配置収納された１つの鏡筒で構成され、双眼鏡はこれらの光学部品がそれぞれ配置収納され、互いに平行な２つの鏡筒で構成されている。
【０００３】
このような光学機器は、単眼鏡であれ双眼鏡であれ、鏡筒内の所定の位置に配置された光学部品それぞれが１つの光軸を共有していることが重要であり、加えて双眼鏡は一対の鏡筒それぞれに配置された光軸が平行であることも重要である。
【０００４】
ところが、組み立てられた光学機器において、光学部品のそれぞれの配置誤差等に起因して光学部品及び保持部品等の構成部品が設計された通りの位置に正確に配置されず、光軸がずれることがある。光軸がずれた光学部品は要求される光学的な性能を満足しないから光学部品の配置位置を調整又は異なる光学部品に交換することになる。このような光軸のずれを分解することなく光学部品の配置位置を調整できる双眼鏡が提案されている。
【０００５】
例えば、特許文献１には「双眼鏡の外部から、正立光学系の、該光学系の光軸に垂直な面内の位置を調整することができること、を特徴とする双眼鏡」が記載されている。具体的には「前記支持部材に前記光軸に直行する壁部を設け、前記保持部材における前記壁部に対向する面にはねじ孔を形成し、ねじを、前記壁部に形成された貫通孔を貫通させてねじ孔にねじ込むことによって、前記保持部材を前記支持部材に固定するよう構成すると共に、前記貫通孔を前記ねじよりも所定量大きく形成することによって、前記貫通孔内での前記ねじの移動調整を可能としたこと、を特徴とする」と記載されている（請求項５、００７８欄、００７９欄及び図１０）。また、特許文献１と同様の技術が特許文献２〜４に記載されている。
【０００６】
ところで、構成部品の形状誤差及び／又は寸法誤差により、構成部品の軸が光軸に対して傾斜するように光学部品が鏡筒内に傾斜配置されることがある。例えば、図９に示されるように、対物レンズ群４２を構成し、鏡筒４１内に配置されたフォーカスレンズ４２ａを光軸方向に前後進させて焦点を合わせる内焦式対物レンズ群を備えた双眼鏡４０では、前後進可能に配置されるフォーカスレンズ４２ａは、その構成上、フォーカスレンズ４２ａの軸が光軸に対して傾斜した状態に傾斜配置されやすい。図９はフォーカスレンズ４２ａが光軸に対して傾斜角θで傾斜配置された双眼鏡４０が示されている。また、プリズム双眼鏡においては通常複数で構成されるプリズムは傾斜した状態に傾斜配置されやすい。このように光学部品が傾斜配置された光学機器は光学的な性能が著しく低下してしまうが、特許文献１〜４では「鉛直面内（即ち、光軸に直行する面内）における取り付け角度を微調整」できたとしても光学部品の傾斜配置を微調整することはできない。
【０００７】
このような光学部品の傾斜配置を防止するには、構成部品の形状精度及び寸法精度を向上させる方法があるが、実際には製造技術の複雑化や製造コストの高騰等により、ある程度の形状誤差及び／又は寸法誤差は許容せざるを得ない。
【０００８】
光学部品の傾斜配置を防止する方法ではないが、組み立てられた光学機器の性能をチェックして要求を満足しない場合は傾倒配置された構成部品を交換する方法がある。しかし、この方法では、光学機器の性能が要求を満足するまで繰り返し構成部品を交換する必要があり、手間と時間が増大するし、交換された構成部品は使用されないので製造コストが増大することになる。
【０００９】
光学部品の傾斜配置を調整する他の方法が特許文献５に記載されている。この技術は「双眼鏡において、左右光学系の光軸調整の上下方向動作を前記左右光学系の一方の光学系により行うように構成するとともに、光軸調整の左右方向動作を前記左右光学系の他方の光学系により行う」ことを前提とするものであるが（請求項１等）、「プリズムホルダー２８は、付勢バネ３１で一方に付勢されて、付勢方向と反対側の調整ネジ３０により引きつけており、これにより光学素子としてのプリズムの傾き偏芯による光軸調整」する技術が記載されている（００３６欄〜００３７欄及び図１１）。
【００１０】
ところが、特許文献５の技術は「調整ネジ３０」によって「プリズムの傾き偏芯」を調整するのであるから、特許文献５の図１１の左下の「調整ネジ３０」近傍を支点として図１１の右上の「調整ネジ３０」の軸線方向にほぼ沿った円周方向にしかプリズムの傾きを調整できない。このように特許文献５の技術ではプリズムの傾きはこの一方向にしか調整できず、実際の傾斜配置には十分に対応できないことがある。加えて特許文献５の技術では「付勢バネ及び調整ネジ３０」の２組で調整するのであるから、部品点数が多く、調整機構はもとより光学機器自体も大型にせざるを得ない場合がある。
【００１１】
反射屈折望遠鏡の「焦点調整と光軸調整」に関する技術ではあるが、特許文献６には「前部セルと後部セルを有するチューブ組立体であって、基端部と末端部を備える中空の望遠鏡チューブと、前記望遠鏡の前記基端部にある前記後部セルと、前記望遠鏡チューブの前記末端部にある前記前部セルを具備するチューブ組立体と；前記チューブ組立体の前記後部セルに配置される一次ミラーと；前記チューブ組立体の前記前部セルより遠位で、補正板を収納する補正板セルと；前記補正板セルの前記補正板に対し中心に配置され、かつ固定される二次ミラーと；前記補正板セルを前記前部セルに機械的に接続するように、前記前部セルと前記補正板セルとに取り付けられる少なくとも一つの電動作動装置であって、前記補正板セルは前記チューブ組立体の前記前部セルに対し移動でき、また前記補正板と二次ミラーを前記一次ミラーに対し移動できるように制御可能に移動可能である、作動装置と；前記電動作動装置に電気的に接続される制御用電子装置であって、前記作動装置の移動を制御するために前記電動作動装置に送信する出力部を有する、制御用電子装置；を具備する、反射屈折望遠鏡」が記載されている。この反射屈折望遠鏡は、効果的に焦点調整し、かつ光軸調整するために「作動装置」等を望遠鏡の外部に少なくとも１つ、図３においては３つ備えている必要がある。
【００１２】
通常、反射屈折望遠鏡は大型で三脚１１０等に配置されるから差動装置等が外部に装着されていても重大な問題等を生じることはないが、より小型簡易な構造であるのが好ましいことはいうまでもない。特に三脚等に配置されないで使用されることの多い双眼鏡等においてその操作性等を考慮すると小型であっても作動装置等を鏡筒の外部に装着することは回避すべき事項である。このように、比較的大型の望遠鏡であっても小型簡易な構成であって鏡筒の内部に装着できる光軸調整を可能とする装置、構造等が求められている。
【先行技術文献】
【特許文献】
【００１３】
【特許文献１】特開平１０−１０４４９６号公報
【特許文献２】特開平１０−１２３４０４号公報
【特許文献３】特開平１０−１２３４３１号公報
【特許文献４】特開平１０−１２３４３２号公報
【特許文献５】特開平９−３０４７０４号公報
【特許文献６】特表２００８−５０７７４０号公報
【発明の概要】
【発明が解決しようとする課題】
【００１４】
この発明は、光学部品が１つの鏡筒内に小型簡易な構成で１つの光軸を共有するように配置された光学機器及びその製造方法を提供することを、目的とする。
【００１５】
また、この発明は、小型簡易な構成で１つの鏡筒に配置された光学部品を１つの光軸を共有するように調整配置できる光学部品の調整方法を提供することを、目的とする。
【課題を解決するための手段】
【００１６】
前記課題を解決するための手段は、物体側から相互に距離をおいて配置された対物レンズ群、プリズム及び接眼レンズ群を含む光学部品を備えた光学機器であって、
前記光学部品の少なくとも１つを内装保持し、周面に少なくとも１つの内枠孔を有する内枠、及び、前記内枠を内装し、前記内枠孔に連通する外枠孔を周面に有する外枠を有し、互いに連通する前記内枠孔及び前記外枠孔の少なくとも１組は一方が円孔で他方が前記円孔の直径と異なる幅で前記鏡筒の軸線に交差する方向に延在する長孔である調整枠と、
前記内枠と前記外枠とを固定する固定部材とを備え、
前記固定部材は、前記長孔内に配置され、一端に被回転操作部を有する筒状基部と、前記筒状基部と異なる径で前記筒状基部の他端から前記筒状基部の軸線方向に沿って前記筒状基部に対して偏心するように延出し、前記円孔内に配置される筒状脚部とを有する偏心ピンを含むことを特徴とする光学機器である。
【００１７】
前記課題を解決するための手段は、光学機器の鏡筒内に物体側から相互に距離をおいて配置された対物レンズ群、プリズム及び接眼レンズ群を含む光学部品のうち請求項１〜６のいずれか１項に記載の調整枠に内装保持された前記光学部品の配置状態を、前記外枠孔内及び前記内枠孔内に挿通配置された請求項１〜６のいずれか１項に記載の前記偏心ピンを回転させて、調整する工程を有することを特徴とする光学部品の調整方法である。
【００１８】
前記課題を解決するための手段は、対物レンズ群、プリズム及び接眼レンズ群を含む光学部品を物体側から相互に距離をおいて光学機器の鏡筒内に配置する工程と、
前記配置する工程の後に、前記光学部品のうち請求項１〜６のいずれか１項に記載の調整枠に内装保持された前記光学部品の配置状態を請求項７又は８に記載の光学部品の調整方法によって調整する工程とを有することを特徴とする光学機器の製造方法である。
【発明の効果】
【００１９】
この発明に係る光学機器は、内枠及び外枠を有する調整枠と内枠及び外枠を固定する固定部材とを備えているから、小型簡易な構成である内枠孔及び外枠孔によって傾斜配置及び光軸回りの角度が共に調整された状態で光学部品が鏡筒内に配置固定されている。したがって、この発明によれば光学部品が１つの鏡筒内に小型簡易な構成で１つの光軸を共有するように配置された光学機器を提供できる。
【００２０】
また、この発明に係る光学部品の調整方法は、調整枠に内装保持された光学部品の配置状態を外枠孔内及び内枠孔内に挿通配置された偏心ピンを回転させて調整する工程を有しているから、小型簡易な構成である内枠孔及び外枠孔によって光学部品を内装保持した内枠の外枠に対する傾斜度と光軸回りの角度とを調整できる。したがって、この発明によれば小型簡易な構成で１つの鏡筒に配置された光学部品を１つの光軸を共有するように調整配置できる光学部品の調整方法を提供できる。
【００２１】
さらに、この発明に係る光学機器の製造方法は、光学部品を鏡筒内に配置する工程と調整枠に内装保持された光学部品の配置状態をこの発明に係る光学部品の調整方法で調整する工程とを有しているから、小型簡易な構成である内枠孔及び外枠孔によって光学部品を内装保持した内枠の外枠に対する傾斜度と光軸回りの角度とを調整できる。したがって、この発明によれば光学部品が１つの鏡筒内に小型簡易な構成で１つの光軸を共有するように配置された光学機器の製造方法を提供できる。
【図面の簡単な説明】
【００２２】
【図１】図１は、この発明に係る光学機器の一例であるプリズム双眼鏡の第１鏡筒を示す概略縦断面図である。
【図２】図２は、図１のＡ−Ａ断面を示す概略横断面図である。
【図３】図３は、この発明に係る光学機器の一例であるプリズム双眼鏡における偏心ピンの配置状態を示す概略図である。
【図４】図４は、この発明に係る光学機器の一例であるプリズム双眼鏡の偏心ピンを示す図であり、図４（ａ）はこの偏心ピンの底面図であり、図４（ｂ）はこの偏心ピンの側面図であり、図４（ｃ）はこの偏心ピンの上面図である。
【図５】図５は、この発明に係る光学機器の一例であるプリズム双眼鏡を示す概略平面図である。
【図６】図６は、この発明に係る光学機器における調整枠の変形例を示す概略図である。
【図７】図７は、この発明に係る光学機器の別の一例であるプリズム双眼鏡を示す概略横断面図である。
【図８】図８は、この発明に係る光学機器のまた別の一例であるプリズム双眼鏡における第１鏡筒の一部を示す概略斜視図である。
【図９】図９は、従来の双眼鏡においてフォーカスレンズが傾斜配置された状態を示す概略縦断面図である。
【発明を実施するための形態】
【００２３】
この発明に係る光学機器は、光学部品の少なくとも１つを内装保持する調整枠と固定部材とを備え、この調整枠はそれぞれの軸線が傾斜するように変位可能でかつ変位後に固定可能に挿入配置された内枠と外枠とを有していることを、技術的特徴とする。したがって、この発明に係る光学機器は調整枠及び固定部材以外は従来の光学機器と基本的に同様に構成されることができる。
【００２４】
この発明に係る光学機器の基本構成を説明する。この発明に係る光学機器の一例であるプリズム双眼鏡１は、図５に示されるように、第１鏡筒３と、第２鏡筒４と、第１鏡筒３及び第２鏡筒４を平行でかつ回転自在に支持する回転支持体５と、フォーカスリング６とを備えている。このプリズム双眼鏡１は内焦式対物レンズ群を備えたプリズム双眼鏡である。このプリズム双眼鏡１は、前記のように、調整枠１１と固定部材１２とを備えていること以外は従来公知のプリズム双眼鏡と基本的に同様である。なお、プリズム双眼鏡１において、物体側すなわち対物レンズ群が配置される側（図１において紙面の下側）を「前方」と称し、接眼レンズ群が配置される側（図１において紙面の上側）を「後方」と称する。
【００２５】
第１鏡筒３及び第２鏡筒４は、図５に示されるように、左右対称となっていること以外は基本的に同様であるので、以下、第１鏡筒３について説明する。この第１鏡筒３は、図５に示されるように、光学部品が内蔵される鏡筒本体３ａと、その軸線方向の略中央から半径方向に突出配置され、上面に開口する調整窓３ｃを有する支持部３ｂを有している。鏡筒本体３ａは、図１及び図２に示されるように、その周方向に等間隔に穿孔され、後述する外枠孔１８ａ〜１８ｃそれぞれに連通する３つの調整孔３ｄを有している。また、この鏡筒本体３ａは、その内部に、光学部品としての対物レンズ群７、プリズム８及び接眼レンズ群９が物体側から接眼側すなわち前方から後方に向かって相互に距離をおいて配置されている。そして、このプリズム双眼鏡１は、後述するように、対物レンズ群７、プリズム８及び接眼レンズ群９それぞれの軸線が互いに一致しており、また第１鏡筒３すなわち鏡筒本体３ａの軸線とも一致している。したがって、このプリズム双眼鏡１において対物レンズ群７、プリズム８及び接眼レンズ群９は１つの光軸（図１において一点鎖線で示す。）を共有している。
【００２６】
対物レンズ群７、プリズム８及び接眼レンズ群９は従来公知の構成を採用することができる。このプリズム双眼鏡１においては、図１に示されるように、対物レンズ群７は凸レンズ及び凹レンズからなる第１レンズ７ａと、後述する調整枠１１に内装保持された第２レンズ（フォーカスレンズとも称する。）７ｂとで構成されている。この対物レンズ群７は光軸に対して前後進してピントを調整可能な第２レンズ７ｂを備えた内焦式対物レンズが採用されている。プリズム８はダハプリズム８ａと補助プリズム８ｂとで構成された成立プリズムであり、接眼レンズ群９は２つの凸レンズと１つの凹レンズとで構成されている。
【００２７】
第１レンズ７ａ、プリズム８及び接眼レンズ９は第１鏡筒３に直接配置固定されているが、例えばレンズ枠又はプリズム枠等の部材を介して第１鏡筒３内に配置固定されていてもよい。
【００２８】
プリズム双眼鏡１は、第２レンズ７ｂを光軸に対して前後進させるフォーカス機構を備えている。このフォーカス機構は従来公知の構成を採用することができる。このプリズム双眼鏡１におけるフォーカス機構は、具体的には、図１及び図５に示されるように、回転支持体５の軸線上に配置されたフォーカスリング６と、第１鏡筒３内であって回転支持体５側に配置され、一端がフォーカスリング６に接続され、他端が後述する外枠１６に接続された楔形又はＬ字状の伝達機構部品６ａとを有している。
【００２９】
プリズム双眼鏡１は、光学部品の少なくとも１つを内装保持する調整枠１１と、調整枠１１を固定する固定部材１２とを備えていることを特徴とする。
【００３０】
この調整枠１１は、図１〜図４及び図６（ａ）に示されるように、第２レンズ７ｂを好適には軸線が共通するように内装保持する円筒状の内枠１５と、内枠１５に間隔をあけて外装された円筒状の外枠１６とを有しており、第２レンズ７ｂの軸線を光軸と一致するように、場合によっては後述する固定部材１２と協働して光軸に垂直な平面に対する第２レンズ７ｂの傾斜度、換言すると、他の光学部品との平行度を調整する。
【００３１】
内枠１５は自身の軸線に対して直行方向に伸びる同一円周上に等間隔で穿孔された３つの内枠孔１７ａ〜１７ｃを周面に有し、外枠１６は自身の軸線に対して直行方向に伸びる同一円周上に等間隔で穿孔された３つの外枠孔１８ａ〜１８ｃを周面に有している。３つの外枠孔１８ａ〜１８ｃそれぞれは内枠孔１７ａ〜１７ｃそれぞれに連通する位置に穿孔されている。このように、内枠孔１７ａ〜１７ｃ及び外枠孔１８ａ〜１８ｃは等間隔で配置されているから、図２によく示されるように、光軸に垂直な平面において隣接する孔同士の中心角が１２０°になっている。
【００３２】
そして、互いに連通する内枠孔１７ａ〜１７ｃ及び外枠孔１８ａ〜１８ｃの３組はいずれも一方が円孔で他方が円孔の直径と異なる幅で第１鏡筒３の軸線に交差する方向に延在する長孔になっている。具体的には、図２、図３及び図６（ａ）に示されるように、すべての組において、内枠孔１７ａ〜１７ｃが円孔で、外枠孔１８ａ〜１８ｃが内枠孔１７ａ〜１７ｃの直径よりも大きな幅で第１鏡筒３の軸線に垂直な方向に延在する長孔になっている。このときの内枠孔１７ａ〜１７ｃの直径及び外枠孔１８ａ〜１８ｃの幅は第２レンズ７ｂの傾斜度を内枠孔１７ａ〜１７ｃの直径と外枠孔１８ａ〜１８ｃの幅との差で十分に調整できるように適宜に決定され、例えば、この差は０．２〜２ｍｍに設定されている。また、外枠孔１８ａ〜１８ｃの延在長さは第２レンズ７ｂの光軸回りの角度を調整できるように適宜に決定され、例えば２〜２０ｍｍに設定され、この例においては５ｍｍに設定されている。
【００３３】
この内枠１５は内枠孔１７ａ〜１７ｃと外枠孔１８ａ〜１８ｃとが連通するように外枠１６の内部に内装されている。内枠１５の外径及び外枠１６の内径は、外枠１６を内枠１５の外装したときに内枠１５の外周面と外枠１６の内周面との間に間隔が存在するように、調整されている。つまり、内枠１５は図２に示されるように外枠１６の遊挿されている。この間隙は、外枠１６に対する内枠１５の傾斜度を許容するための空間であって、内枠孔１７ａ〜１７ｃの直径と外枠孔１８ａ〜１８ｃの幅との差等を考慮して適宜に決定される。内枠１５の外径と外枠１６の内径との差すなわち間隙量は、例えば０．０２〜０．２ｍｍに設定される。
【００３４】
内枠１５を内装した外枠１６は、伝達機構部品６ａの一端が接続されて光軸方向に前後進可能となるように、第１鏡筒３に直接又は図示しない固定枠等を介して配置されている。したがって、調整枠１１に内装された第２レンズ７ｂはフォーカスリング６を回転させることで前後進し、焦点を調整する。
【００３５】
固定部材１２は、図１〜図４及び図６（ａ）に示されるように、一端に被回転操作部２４を有する筒状基部２２と、筒状基部２２よりも小さな径で筒状基部２２の他端から筒状基部２２の軸線方向に沿って筒状基部２２に対して偏心するように延出する筒状脚部２３とを有する偏心ピン２１を含んでいる。プリズム双眼鏡１は固定部材１２として３つの偏心ピン２１ａ〜２１ｃを備えている。
【００３６】
この偏心ピン２１は互いの軸線が平行で軸線それぞれが一致しないように軸線方向に積重された２つの筒体から構成されている。偏心ピン２１の筒状基部２２は大径の筒体であって長孔である外枠孔１８ａ〜１８ｃ内に配置され、筒状脚部２３は小径の筒体であって円孔である内枠孔１７ａ〜１７ｃ内に配置される。したがって、筒状脚部２３の外径は内枠孔１７ａ〜１７ｃの直径と同一又はわずかに小さく、筒状基部２２の外径は内枠孔１７ａ〜１７ｃの直径よりも大きく外枠孔１８ａ〜１８ｃの幅と同一又はわずかに小さくなっている。筒状基部２２と筒状脚部２３との外径差及び筒状基部２２と筒状脚部２３との軸線の変位量は筒状基部２２の外径及び筒状脚部２３の外径が前記のように設定されていれば特に限定されない。
【００３７】
筒状基部２２の一端には偏心ピン２１を回転させるための被回転操作部２４として六角穴が配置されている。
【００３８】
筒状基部２２が外枠孔１８ａ〜１８ｃ内に配置され、筒状脚部２３が内枠孔１７ａ〜１７ｃ内に配置された偏心ピン２１は、回転することで調整枠１１と協働して外枠１６に対する内枠１５の傾斜角を調整し、外枠孔１８ａ〜１８ｃ内をスライドすることで光軸回りの角度を調整すると共に、これら外枠１６及び内枠１５を固定する。
【００３９】
このプリズム双眼鏡１は、固定部材１２として偏心ピン２１を有しているが、外枠１６に対する内枠１５の傾斜角及び光軸回りの角度を調整した後に、外枠１６と内枠１５との固定状態を強固にするために、偏心ピン２１に加えて、外枠孔１８ａ〜１８ｃと偏心ピン２１との間隙に充填硬化された接着剤充填部（図１〜図４において図示しない。）を有していてもよい。
【００４０】
この発明に係る光学部品の調整方法及びこの発明に係る光学機器の製造方法を、プリズム双眼鏡１における光軸の調整方法及びプリズム双眼鏡１の製造方法を例に挙げて、説明する。
【００４１】
プリズム双眼鏡１を製造するには、まず、第１鏡筒３、第２鏡筒４、回転支持体５、フォーカスリング６、伝達機構部品６ａ、対物レンズ群７、プリズム８及び接眼レンズ群９を従来公知の材料及び方法でそれぞれ作製する。このとき、プリズム双眼鏡１では第２レンズ７ｂを調整できるから、対物レンズ群７、プリズム８及び接眼レンズ群９の光学部品、伝達機構部品６ａ等の構成部品、特に対物レンズ群７及び伝達機構部品６ａは極めて高い形状精度及び寸法精度を有していなくてもよく、従来のプリズム双眼鏡１に用いられる構成部品よりも比較的大きな誤差を許容でき、製造技術の複雑化を回避できるうえ製造コストも低減できる。
【００４２】
加えて、内枠１５及び外枠１６を樹脂又は金属等の材料で作製し、偏心ピン２１を樹脂、好ましくは金属で作製する。なお、前記の通りプリズム双眼鏡１では第２レンズ７ｂを調整できるから、前記光学部品及び構成部品と同様に内枠１５、外枠１６及び偏心ピン２１は極めて高い形状精度及び寸法精度を有していなくてもよい。内枠１５、外枠１６及び偏心ピン２１の形状及び寸法は前記の通りである。
【００４３】
プリズム双眼鏡１の製造方法において、次いで、作製した光学部品及び構成部品を第１鏡筒３に配置する。具体的には、対物レンズ群７、プリズム８及び接眼レンズ群９を含む光学部品を物体側から相互に距離をおいて第１鏡筒３内に配置する工程を実施する。この工程を実施するに当たって、まず、調整枠１１を組み立てる。具体的には、内枠１５に第２レンズ７ｂを内装保持した後に外枠１６を内枠１５に外装し、内枠１５及び外枠１６を相対的に回転させて連通した内枠孔１７ａ〜１７ｃ及び外枠孔１８ａ〜１８ｃの組それぞれに偏心ピン２１ａ〜２１ｃを挿入配置する。このようにして偏心ピン２１で内枠１５と外枠１６とが遊挿状態に保持された調整枠１１を組み立てることができる。
【００４４】
プリズム双眼鏡１の製造方法において、次いで、対物レンズ群７の第１レンズ７ａ、調整枠１１、プリズム８及び対物レンズ群９を第１鏡筒３内に配置する。調整枠１１は、第２レンズ７ｂを保持するレンズ枠が内枠１５及び外枠１６の二重構造になっていること以外は従来のプリズム双眼鏡における第２レンズと基本的に同様にして第１鏡筒３内に配置される。具体的には、調整枠１１は、外枠１６が支持部３ｂ内に配置された伝達機構部品６ａに接続された状態に第１鏡筒３内に内装して、配置される。なお、第１レンズ７ａ、プリズム８及び接眼レンズ群９は従来のプリズム双眼鏡と基本的に同様にして第１鏡筒３内に配置される。
【００４５】
このようして第１鏡筒３及び第２鏡筒４に光学部品を配置し、第１鏡筒３及び第２鏡筒４が平行となるように回転支持部材５で回転可能に軸支する。
【００４６】
プリズム双眼鏡１の製造方法において、次いで、プリズム双眼鏡１の光学性能を確認する工程を実施する。確認する光学性能は各鏡筒３及び４の光軸それぞれが一致していること、及び２つの光軸が互いに平行になっていること等である。
【００４７】
この確認する工程で光軸が一致していない場合及び／又は２つの光軸が平行になっていない場合には、光学部品、プリズム双眼鏡１においては第２レンズ７ｂを調整する工程を実施する。すなわち、この調整する工程は外枠１６が外装された内枠１５に内装保持された第２レンズ７ｂの配置状態を調整する工程である。この工程で調整される配置状態の１つは光軸に垂直な平面に対する第２レンズ７ｂの傾斜度すなわち内枠１５の外枠１６に対する傾斜度であり、具体的には、光軸に垂直な平面と第２レンズ７ｂの軸線に垂直な平面とがなす角度（図９に示す傾斜角θに相当する）であって光軸に垂直な平面に対する第２レンズ７ｂの図１に示される両向き矢印Ｂの一方向への傾斜度である。配置状態のもう１つは第２レンズの光軸回りの角度であり、具体的には、図２に示される断面における光軸を中心とする回転角度である。この調整する工程においてはこれら配置状態の少なくとも１つを調整する。調整する工程において、第２レンズ７ｂの調整は外枠孔１８ａ〜１８ｃ内及び内枠孔１７ａ〜１７ｃ内に挿通配置された偏心ピン２１ａ〜２１ｃの少なくとも１つを回転又はスライドさせて実施される。具体的には、第１鏡筒３の鏡筒本体３ａに穿孔された調整孔３ｄから装入した六角レンチ等を偏心ピン２１の被回転操作部２４に係合させて、外枠孔１８ａ〜１８ｃ内を延在方向にスライド移動させ、及び／又は、筒状基部２２の軸線周りに回転させる。
【００４８】
偏心ピン２１ａ〜２１ｃの少なくとも１つを外枠孔１８ａ〜１８ｃ内で延在方向に移動させると、外枠１６に対する内枠１５の光軸回りの角度を外枠孔１８ａ〜１８ｃの延在長さの範囲内で調整できる。
【００４９】
一方、偏心ピン２１ａ〜２１ｃの少なくとも１つを回転させると光軸に垂直な平面に対する第２レンズ７ｂの傾斜度を調整できる。例えば、外枠孔１８ａ及び内枠孔１７ａ内に挿入配置された偏心ピン２１ａを筒状基部２２の軸線周りに回転させると、筒状基部２２の外径は外枠孔１８ａの幅と同一又はわずかに小さいから筒状基部２２の回転に伴って筒状脚部２３は筒状基部２２の軸線から偏心して回転する。そうすると、筒状脚部２３が挿入配置されている内枠孔１７ａは内枠孔１７ｂ及び１７ｃを結ぶ仮想線Ｌを中心にして光軸に沿って図１に示される両向き矢印Ｂで示される一方向に前後進する。このようにして内枠１５の内枠孔１７ａ近傍を光軸方向に前後進させると、内枠孔１７ａの移動分だけ内枠１５が外枠１６に対して相対的に傾斜し、同時に内枠１５に内装保持された第２レンズ７ｂも内枠１５と共に光軸に垂直な平面に対して相対的に傾斜する。このとき、外枠１６は第１鏡筒３に配置固定されているから内枠１５及び第２レンズ７ｂが第１鏡筒３に対して傾斜する。例えば、フォーカスレンズ４２ａが光軸に垂直な平面に対して傾斜角θだけ傾斜配置されている図９に示される双眼鏡４０がこの発明に係る調整枠１１及び固定部材１２を備えていると仮定すると、同様にして、傾斜角θを相殺するだけ偏心ピン２１ａを一方向に回転させて、フォーカスレンズ４２ａの光軸に垂直な平面に対する傾斜度θを０°に調整することができる。
【００５０】
また、同様にして、偏心ピン２１ｂを回転させると内枠孔１７ａ及び１７ｃを結ぶ仮想線を中心にして内枠１５及び第２レンズ７ｂの傾斜角を調整でき、偏心ピン２１ｃを回転させると内枠孔１７ａ及び１７ｂを結ぶ仮想線を中心にして内枠１５及び第２レンズ７ｂの傾斜角を調整できる。このようにして、偏心ピン２１ａ〜２１ｃの少なくとも１つを回転させることによって内枠１５及び第２レンズ７ｂの傾斜角を所望のように調整できる。なお、この具体的な調整工程においては偏心ピン２１ａを回転させるときに偏心ピン２１ｂ及び２１ｃを同時に回転させていないが、複数の偏心ピン２１を同時に回転させても第２レンズ７ｂの調整は可能である。
【００５１】
このようにして３つの偏心ピン２１ａ〜２１ｃを回転又はスライドさせることで第２レンズ７ｂの光軸に垂直な平面に対する傾斜度及び／又は第２レンズ７ｂの光軸回りの角度を所望のように調整して、この発明に係る光学部品の調整方法が完了する。
【００５２】
プリズム双眼鏡１の製造方法においては、所望により、第１鏡筒３と同様にして第２鏡筒４についても第２レンズ７ｂの配置状態を調整する。また、プリズム双眼鏡１の製造方法においては、所望により、前記のようにして、第１鏡筒３及び／又は第２鏡筒４の光軸に加えて第１鏡筒３及び第２鏡筒４それぞれの光軸が平行になるように第２レンズ７ｂの配置状態を調整する。
【００５３】
プリズム双眼鏡１の製造方法においては、筒状脚部２３の外径が内枠孔１７ａの直径と略同一であるから内枠孔１７ａ内に配置された筒状脚部２３は自発的に回転しにくく、偏心ピン２１ａは第２レンズ７ｂの傾斜角が調整された状態に内枠１５を外枠１６に固定できる。したがって、この偏心ピン２１ａ〜２１ｃは第２レンズ７ｂの調整部材として機能に加えて調整枠１１の固定部材としての機能も発揮し、内枠１５の調整とほぼ同時に固定もできる。すなわち、プリズム双眼鏡１の製造方法においては偏心ピン２１によって調整する工程とほぼ同時に内枠１５と外枠１６とを偏心ピン２１で固定する工程も実施される。
【００５４】
ところで、プリズム双眼鏡１の製造方法において、内枠１５と外枠１６とを強固に固定する場合には、第２レンズ７ｂすなわち内枠１５を調整する工程を実施した後に外枠孔１８ａ〜１８ｃと偏心ピン２１との間隙に接着剤を充填し硬化して内枠１５と外枠１６とを固定する工程を実施してもよく、また内枠１５を調整する工程を実施した後に偏心ピン２１ａ〜２１ｃを外枠孔１８ａ〜１８ｃ及び内枠孔１７ａ〜１７ｃから除去して外枠孔１８ａ〜１８ｃ及び内枠孔１７ａ〜１７ｃに接着剤を充填、硬化して内枠１５と外枠１６とを固定する工程を実施してもよく、さらに、内枠１５を調整する工程を実施した後に偏心ピン２１ａ〜２１ｃを外枠孔１８ａ〜１８ｃ及び内枠孔１７ａ〜１７ｃから除去して外枠孔１８ａ〜１８ｃ及び内枠孔１７ａ〜１７ｃを締結する締結具、例えばボルト等を装着又は締結する工程を実施してもよい。
【００５５】
プリズム双眼鏡１の製造方法においては、このようにして、プリズム双眼鏡１の第１鏡筒３及び／又は第２鏡筒４の第２レンズ７ｂの配置状態を調整、固定することで、光学部品が第１鏡筒３及び／又は第２鏡筒４内で１つの光軸を共有し、かつそれぞれの光軸が平行に配置されたプリズム双眼鏡１が製造される。
【００５６】
このようにして製造されたプリズム双眼鏡１は、第２レンズ７ｂを保持するレンズ枠を内枠１５及び外枠１６で構成し、偏心ピン２１がこれらの内部に配置されている。したがって、プリズム双眼鏡１は、第２レンズ７ｂ及びレンズ枠を有する従来の構成に比して構造が複雑でも大型でもなく、小型簡易な構造になっている。特に、単純な形状を有する小型の内枠１５、外枠１６及び偏心ピン２１は、特許文献６のように鏡筒の外部に装着する必要がなく、鏡筒３及び４内の小さなスペースに収納できる。
【００５７】
そして、前記のように、第２レンズ７ｂはその配置状態が内枠孔１７ａ〜１７ｃ及び外枠孔１８ａ及び１８ｃ並びに偏心ピン２１ａ〜２１ｃによって調整されているから、たとえ第１レンズ７ａ及び第２レンズ７ｂ、加えて調整枠１１等に寸法誤差及び形状誤差があったとしても、各鏡筒３及び４それぞれに配置された光学部品は互いに平行となる１つの光軸を有している。したがって、このプリズム双眼鏡１は設計通りの高い光学特性を発揮する。
【００５８】
また、内焦式対物レンズ群７を備えたプリズム双眼鏡１において対物レンズ群７を構成する２つのレンズ、すなわち第１レンズ７ａ及び第２レンズ７ｂがほぼ平行に調整され配置固定されているから、第２レンズ７ｂを前後進させたとしても、また第１レンズ７ａ及び第２レンズ７ｂ、加えて調整枠１１等に寸法誤差及び形状誤差があったとしても、各鏡筒３及び４それぞれに配置された光学部品は互いに平行となる１つの光軸を有している。したがって、このプリズム双眼鏡１は設計通りの高い光学特性を発揮する。
【００５９】
このように、この発明によれば、光学部品が１つの鏡筒内に小型簡易な構成で１つの光軸を共有するように配置された光学機器及びその製造方法を提供できる。加えて、この発明によれば、小型簡易な構成で光学部品が１つの鏡筒内で１つの光軸を共有するように、かつ一対の鏡筒の光軸を互いに平行になるように配置された光学機器及びその製造方法、並びに、小型簡易な構成で一対の鏡筒それぞれに配置された光学部品を１つの鏡筒内で１つの光軸を共有するように、かつ一対の鏡筒の光軸が互いに平行になるように調整配置できる光学部品の調整方法を提供するという目的を達成できる。
【００６０】
特に、プリズム双眼鏡１は偏心ピン２１ａ〜２１ｃを備えているから、たとえ第２レンズ７ｂが多数回にわたって前後進されて第２レンズ７ｂの配置状態が変化しても、その都度前記のようにして調整でき、設計通りの高い光学特性を発揮させることができる。すなわち、固定部材の１つとして偏心ピンを備えているこの発明によれば、小型簡易な構成であるにもかかわらず、１つの光軸を共有するように光学部品が配置され、かつ必要時にその配置を調整できる光学機器及びその製造方法を提供するという目的を達成できる。
【００６１】
この発明に係る光学機器は、前記した実施例に限定されることはなく、本願発明の目的を達成することができる範囲において、種々の変更が可能である。
【００６２】
例えば、プリズム双眼鏡１は２つの鏡筒３及び４を有する光学機器であるが、この発明に係る光学機器は、各鏡筒に配置された光学部品の配置状態を調整できるから、１つの鏡筒で構成される単眼鏡、例えば天体望遠鏡、地上望遠鏡であってもよい。
【００６３】
プリズム双眼鏡１は、調整枠１１が第２レンズ７ｂを内装保持しているが、この発明において、調整枠が内装保持する光学部品は第２レンズに限定されず、例えば、対物レンズ群、第１レンズ、プリズム又は接眼レンズ群であってもよく、特に傾斜配置されやすい光学部品であっても所望のように配置できる点で、例えば焦点合わせ時に前後進する第２レンズ、又は、通常複数で構成されるプリズムであるのが好ましい。また、この発明において調整枠で保持される光学部品は１つに限定されず、複数、例えば、ダハプリズム８ａと補助プリズム８ｂとで構成されるプリズム８であってよい。
【００６４】
プリズム双眼鏡１は、内枠１５の外周面と外枠１６の内周面との間に間隔を有しているが、この発明において、この間隙に例えばゴム等の弾性部材等が介装されてもよい。このような弾性部材等が間隙に介装されていると内枠が外枠にほとんど不動に内装される。
【００６５】
プリズム双眼鏡１は、内枠１５及び外枠１６それぞれに互いに連通する３つの内枠孔１７ａ〜１７ｃ及び外枠孔１８ａ〜１８ｃを有しているが、この発明において、互いに連通する内枠孔及び外枠孔は３組に限定されず、１組、２組又は４組以上でもよく、光学部品の傾斜度を調整する方向数によって適宜に選択される。例えば、互いに連通する内枠孔及び外枠孔は光学部品の傾斜度を図１に示される両向き矢印Ｂが示す方向のみに調整する場合には１組又は２組でよく、前記両向き矢印Ｂが示す方向を含む複数方向の傾斜度を調整する場合には３組以上であればよいが調整容易性等を考慮すると３組であるのが好ましい。
【００６６】
また、プリズム双眼鏡１は、周方向に等間隔に穿孔された３つの内枠孔１７ａ〜１７ｃ及び外枠孔１８ａ〜１８ｃを有しているが、この発明において、内枠孔及び外枠孔は内枠及び外枠の周方向に異なる距離で穿孔・配置されていてもよい。例えば、内枠孔及び外枠孔を２つ穿孔する場合には、中心角が１８０°となる距離で穿孔・配置されてもよく、一方が１８０°未満、他方が１８０°以上となる距離で穿孔・配置されてもよい。また、内枠孔及び外枠孔を３つ穿孔する場合には、図２に示されるように、隣接する孔同士の中心角が１２０°となる距離で穿孔・配置されてもよく、また３つの中心角が９０°、９０°及び１８０°となる距離で穿孔・配置されてもよい。このような距離で３つの内枠孔及び外枠孔が穿孔・配置されていると、もっとも離れた２組の内枠孔及び外枠孔で光学部品の傾斜度を直行方向で調整できて作業性がよくなる。
【００６７】
プリズム双眼鏡１は、３つの内枠孔１７ａ〜１７ｃ及び外枠孔１８ａ〜１８ｃがそれぞれ連通しているが、この発明において、少なくとも１組の内枠孔と外枠孔とが連通していればよく、内枠及び外枠それぞれに穿孔される内枠孔及び外枠孔の数は一致していなくてもよい。
【００６８】
プリズム双眼鏡１は、連通する内枠孔１７ａ〜１７ｃ及び外枠孔１８ａ〜１８ｃのすべての組が円孔と長孔とで内枠１５の配置状態を調整可能になっているが、この発明において、連通する内枠孔及び外枠孔の少なくとも１組が円孔と長孔とで内枠の配置状態を調整可能になっていればよく、残りの組は共に円孔又は長孔で内枠の配置状態を調整可能になっていなくてもよい。例えば、互いに連通する内枠孔及び外枠孔は光学部品の傾斜度を図１に示される両向き矢印Ｂが示す方向のみに調整する場合には連通する内枠孔及び外枠孔の少なくとも１組が調整可能になっていればよく、残りの組は調整可能になっていなくてもよい。また、前記両向き矢印Ｂが示す方向を含む複数方向の傾斜度を調整する場合には連通する内枠孔及び外枠孔の少なくとも３組のうち１組は調整可能になっていなくてもよい。
【００６９】
プリズム双眼鏡１は、内枠孔１７ａ〜１７ｃが小径の円孔で外枠孔１８ａ〜１８ｃが内枠孔１７ａ〜１７ｃの直径よりも大きな幅を有する長孔になっているが、この発明において、内枠孔及び外枠孔は一方が円孔で他方が円孔の直径と異なる幅すなわち小さな幅又は大きな幅を有する長孔であってもよい。例えば、図６（ａ）に示されるように内枠孔１７ａが小径の円孔で外枠孔１８ａが内枠孔１７ａの直径よりも大きな幅を有する長孔である以外に、図６（ｂ）に示されるように外枠孔３３ａが大径の円孔で内枠孔３１ａが外枠孔３３ａの直径よりも小さな幅を有する長孔であってもよく、図６（ｃ）に示されるように内枠孔３１ｂが大径の円孔で外枠孔３３ｂが内枠孔３１ｂの直径よりも小さな幅を有する長孔であってもよく、さらに、図６（ｄ）に示されるように外枠孔３３ｃが小径の円孔で内枠孔３１ｃが外枠孔３３ｃの直径よりも大きな幅を有する長孔であってもよい。
【００７０】
またこの発明においては、このような内枠孔及び外枠孔に対応するように偏心ピンの形状及び挿入方向が選択される。例えば、偏心ピンの筒状脚部は内枠孔又は外枠孔に対応するように筒状基部と異なる径すなわち大径又は小径を有していればよい。具体的には、図６（ａ）に示される内枠孔１７ａ及び外枠孔１８ａに挿入配置される偏心ピン２１及び図６（ｂ）に示される内枠孔３１ａ及び外枠孔３３ａに挿入配置される偏心ピン３５ａは被回転操作部２４を有する大径の筒状基部２２が外枠孔１８ａ及び３３ａに配置され、図６（ｃ）に示される内枠孔３１ｂ及び外枠孔３３ｂに挿入配置される偏心ピン３５ｂ及び図６（ｄ）に示される内枠孔３１ｃ及び外枠孔３３ｃに挿入配置される偏心ピン３５ｃは被回転操作部２４を有する大径の筒状基部２２が内枠孔３１ｂ及び３１ｃに配置される。
【００７１】
ここで、図６（ｃ）及び図６（ｄ）に示される偏心ピン３５ｂ及び３５ｃは小径の筒状脚部の端面に被回転操作部を有していてもよい。すなわち、偏心ピン３５ｂ及び３５ｃはその両端面に被回転操作部２４を有していてもよい。この場合には鏡筒に穿孔した調整孔から偏心ピン３５ｂ及び３５ｃを回転できる。一方で、筒状脚部の端面に被回転操作部を形成せずに偏心ピン３５ｂ及び３５ｃを内枠１５の内部側から回転させることもできる。偏心ピン２１に代えて偏心ピン３５ｃを用いたプリズム双眼鏡を例にして、偏心ピン３５ｃを内枠１５の内部側から回転又はスライドさせて第２レンズ７ｂの配置状態を調整する方法を具体的に説明する。このプリズム双眼鏡は、図８に示されるように、内枠孔３１ｃ及び外枠孔３３ｃに加えて互いに連通するように穿孔された調整孔２７ａ及び２７ｂがそれぞれ穿孔された内枠１５及び外枠１６並びに偏心ピン３５ｃを備えていること以外は基本的にプリズム双眼鏡１と同様である。このプリズム双眼鏡においては、内枠１５及び外枠１６の２７ａ及び２７ｂに調整窓３ｃ（図５参照。）を介して被回転操作部２４に係合する工具例えば六角レンチ２８を挿入して、その先端を回転させる偏心ピン３５ｃの被回転操作部２４に係合させる。この係合状態を維持しつつ工具２８を回転させて偏心ピン３５ｃを回転させ、及び／又は、工具２８で偏心ピン３５ｃを内枠孔３１ｃ内でスライド移動させる。このようにして内枠１５に内装保持された第２レンズ７ｂの配置状態を調整できる。なお、図８には図示しないが第２レンズ７ｂは内枠孔３１ｃ及び調整孔２７ａ及び２７ｂよりも後方側に配置されている。このように偏心ピン３５ｂ及び３５ｃを内枠１５の内部側から回転させるように内枠１５及び外枠１６に調整孔２７ａ及び２７ｂを穿孔すると、鏡筒３及び４に工具挿入用の調整孔（プリズム双眼鏡１において調整孔３ｄに相当する。）を穿孔する必要がなく外観に優れ、鏡筒内を密閉できる点で好ましい。
【００７２】
プリズム双眼鏡１は、外枠孔１８ａ〜１８ｃとして光軸に対して垂直な方向に延在する長孔を有しているが、この発明において、外枠孔又は内枠孔としての長孔は光軸に対して０°を超え９０°未満の角度で斜めに光軸に交差する方向に延在していてもよい。
【００７３】
この発明において偏心ピンに設けられる被回転操作部は、六角穴に限定されず、例えば、工具に適合する四角穴、十字溝、直線溝（スリット）又は六角柱、四角柱であってもよく、人手で把持しやすい形状であってもよい。
【００７４】
プリズム双眼鏡１は、固定部材１２として、第２レンズ７ｂの配置状態を調整する調整部材としても機能する偏心ピン２１ａ〜２１ｃを有しているが、この発明において、固定部材は内枠と外枠とを固定する機能のみを有する部材であってもよく、例えばボルト等の締結具、接着剤等が挙げられる。例えば図７には、内枠１５を調整する工程を実施した後に偏心ピン２１ａ〜２１ｃを外枠孔１８ａ〜１８ｃ及び内枠孔１７ａ〜１７ｃから除去して外枠孔１８ａ〜１８ｃ及び内枠孔１７ａ〜１７ｃに接着剤を充填、硬化して内枠１５と外枠１６とを固定する工程を実施して、接着剤充填部１９で内枠１５及び外枠１６を固定した偏心ピン２１ａ〜２１ｃを有していないプリズム双眼鏡２が図示されている。
【００７５】
プリズム双眼鏡１は、第２レンズ７ｂを内装保持する内枠１５と外枠１６とを有する調整枠１１を備えているが、この発明において、調整枠は内側に配置された枠と外側に配置された枠との配置状態を調整できれば、これらの最内側、中間又は最外側に第３の枠を備えていてもよい。例えば、光学部品を内装保持する保持枠と、保持枠に外嵌され保持枠を固定保持する内枠と、内枠に外装される外枠とを有していてもよい。
【符号の説明】
【００７６】
１、２  プリズム双眼鏡
３  第１鏡筒
３ａ  鏡筒本体
３ｂ  支持部
３ｃ  調整窓
３ｄ  調整孔
４  第２鏡筒
４ａ  鏡筒本体
４ｂ  支持部
４ｃ  調整窓
５  回転支持体
６  フォーカスリング
６ａ  伝達機構部品
７  対物レンズ群
７ａ  第１レンズ
７ｂ  第２レンズ（フォーカスレンズ）
８  プリズム
８ａ  ダハプリズム
８ｂ  補助プリズム
９  接眼レンズ群
１１  調整枠
１２  固定部材
１５  内枠
１６  外枠
１７ａ、１７ｂ、１７ｃ、３１ａ、３１ｂ、３１ｃ  内枠孔
１８ａ、１８ｂ、１８ｃ、３３ａ、３３ｂ、３３ｃ  外枠孔
１９  接着剤充填部
２１、２１ａ、２１ｂ、２１ｃ、３５ａ、３５ｂ、３５ｃ  偏心ピン
２２  筒状基部
２３  筒状脚部
２４  被回転操作部
２７ａ、２７ｂ  調整孔
２８  工具
４０  双眼鏡
４１  鏡筒
４２  対物レンズ群
４２ａ  フォーカスレンズ
４３  プリズム
４４  接眼レンズ群
【図１】
0005875893.tif 000002
【図２】
0005875893.tif 000003
【図３】
0005875893.tif 000004
【図４】
0005875893.tif 000005
【図５】
0005875893.tif 000006
【図６】
0005875893.tif 000007
【図７】
0005875893.tif 000008
【図８】
0005875893.tif 000009
【図９】
0005875893.tif 000010